(57)【要約】【課題】本発明は魚釣用電動リールの給電コードに関し、良好な外観品質及び強度・性能を確保しつつ、製造コストの安い給電コードを提供することを目的とする。【解決手段】請求項１に係る発明は、一方をバッテリ等の外部電源に、他方を電動リール本体に接続して当該電動リールに給電する魚釣用電動リールの給電コードに於て、上記外部電源との接続側に電源接続用導線部を接続し、その接続部分を防水部材で防水被覆すると共に、当該電源接続用導線部に電源接続具を取り付けたことを特徴とする。そして、請求項２に係る発明は、請求項１記載の魚釣用電動リールの給電コードに於て、電源接続用導線部が接続される給電コードの主導線部は、２本の±のリード線が撚られて外皮で覆われ、電源接続用導線部の２本の±のリード線は、非撚状態であることを特徴とする。【選択図】　　　図２
2004127792.tif 000002
【特許請求の範囲】
【請求項１】
一方をバッテリ等の外部電源に、他方を電動リール本体に接続して当該電動リールに給電する魚釣用電動リールの給電コードに於て、
上記外部電源との接続側に電源接続用導線部を接続し、その接続部分を防水部材で防水被覆すると共に、当該電源接続用導線部に電源接続具を取り付けたことを特徴とする魚釣用電動リールの給電コード。
【請求項２】
電源接続用導線部が接続される給電コードの主導線部は、２本の±のリード線が撚られて外皮で覆われ、電源接続用導線部の２本の±のリード線は、非撚状態であることを特徴とする請求項１記載の魚釣用電動リールの給電コード。
【発明の詳細な説明】
【０００１】
【発明の属する技術分野】
本発明は、魚釣用電動リールの給電コードに関する。
【０００２】
【従来の技術】
船釣り等、一般に深場の魚層を対象とした魚釣りを行う場合、魚釣用電動リール（以下、「電動リール」という）が広く使用されている。
従来周知のようにこの電動リールは、リール本体に装着したスプールモータの駆動でスプールを回転させて釣糸の巻取りを行うもので、バッテリ等の外部電源との間に給電コードを接続して、スプールモータを駆動させるようになっている。
【０００３】
ところで、従来、給電コードはその外皮形状を円形とするため、外皮で覆われた２本の±のリード線が予め撚られている、そして、外部電源との接続側に鰐口クリップが取り付けられているが、従来、鰐口クリップの取付けは、リード線を覆う外皮を切り取り、そして、各リード線の導電線を被覆する絶縁被覆材を切り取って、露出させた導電線を、夫々、接続部材に接続して各接続部材を鰐口クリップにビスで固定している（例えば、特許文献１参照。）。
【０００４】
【特許文献１】
特開平１１−２０６２９５号公報（第２頁−第３頁、図２、図１２）
【０００５】
【発明が解決しようとする課題】
しかし乍ら、上述したように給電コードは、２本のリード線が予め撚られて外皮で覆われた構造上、鰐口クリップとの接続のために外皮が剥がされて外部に露出するリード線には撚り現象が残ってしまって外観品質上好ましくなく、また、外部電源の端子に電気的に着脱操作されるリード線としての強度・性能維持上、好ましいものとはいえなかった。
【０００６】
また、従来、この種の給電コードは、±極の印象から受ける色調感を考慮して、一般に赤色がプラス、黒色がマイナスとして絶縁被覆材が着色されたリード線が使用されているのが現状で、給電コードのリード線として安価で入手性のよい白黒リード線が使用できず、製造コストの点でも課題を残していた。
本発明は斯かる実情に鑑み案出されたもので、良好な外観品質及び強度・性能を確保しつつ、製造コストの安い電動リールの給電コードを提供することを目的とする。
【０００７】
【課題を解決するための手段】
斯かる目的を達成するため、請求項１に係る発明は、一方をバッテリ等の外部電源に、他方を電動リール本体に接続して当該電動リールに給電する電動リールの給電コードに於て、上記外部電源との接続側に電源接続用導線部を接続し、その接続部分を防水部材で防水被覆すると共に、当該電源接続用導線部に電源接続具を取り付けたことを特徴とする。
【０００８】
そして、請求項２に係る発明は、請求項１記載の電動リールの給電コードに於て、電源接続用導線部が接続される給電コードの主導線部は、２本の±のリード線が撚られて外皮で覆われ、電源接続用導線部の２本の±のリード線は、非撚状態であることを特徴とする。
【０００９】
（作用）
請求項１及び請求項２に係る発明によれば、電動リールと外部電源との間に給電コードを接続すれば、給電コードを介して外部電源から電動リールに給電されてスプールモータが駆動可能となる。
そして、電源接続具が取り付いて外部に露出する電源接続用導線部の２本のリード線は撚られていない非撚状態とされているから、従来の如き不必要な撚り現象がこれらのリード線に生ずることがなく、良好な外観品質が維持され、リード線に要求される強度・性能が維持されることとなる。
【００１０】
【発明の実施の形態】
以下、本発明の実施形態を図面に基づいて詳細に説明する。
図１に於て、１は請求項１及び請求項２の一実施形態に係る給電コード３が接続された電動リールで、従来と同様、当該電動リール１には、スプールが左右の側板５間に回転可能に支持されている。
【００１１】
而して、スプールは、スプールモータ７の駆動やハンドル９の巻取り操作で回転するようになっており、スプールモータ７は、スプール前方のフレームに一体成形されたモータケース内に収納されている。
そして、電動リール１内には遊星減速機構や動力伝達機構，クラッチ機構等が組み込まれると共に、スプール後方の側板５間にはクラッチレバーが装着されており、上記遊星減速機構と動力伝達機構を介してスプールモータ７やハンドル９の駆動力がスプールに伝達され、また、上記クラッチレバーの操作でクラッチ機構がＯＮ／ＯＦＦされて、スプールへのスプールモータ７やハンドル９の駆動力が伝達，遮断されるようになっている。
【００１２】
また、ハンドル９が取り付く側板５の上部前方には、特開平６−７０６０号公報で開示された電動リールと同様、スプールモータ７のモータ出力を増減して釣糸の巻取り速度を調節するパワーレバー（モータ出力調節体）１１が、ハンドル９の回転方向と同方向へ所定の角度に亘って回転可能に装着されており、パワーレバー１１は側板５に内蔵されたポテンショメータに連結されている。そして、側板５間の上部に取り付く制御ボックス１３内の制御手段は、パワーレバー１１の操作量に応じたパルス信号のデューティ比としてスプールモータ７への駆動電流通電時間率を可変制御して、スプールモータ７のモータ出力をモータ停止状態から最大値（０〜１００％）まで連続的に増減調節するようになっている。
【００１３】
そして、電動リール１は、リール全体の保持性を向上させるため、下方へ突出する突出部１５が左側の側板５の下部に設けられているが、当該突出部１５の底部に、給電コード３が接続自在なレセプタクル１７が装着されており、スプールモータ７は、当該レセプタクル１７（電動リール１）に接続した給電コード３を図示しないバッテリ（外部電源）に接続して駆動する。
【００１４】
給電コード３は、上記レセプタクル１７に接続可能なコネクタ１９が一方に取り付く主導線部２１と、当該主導線部２１の他方に接続された電源接続用導線部２３と、当該電源接続用導線部２３に取り付く２つの電源接続具である鰐口クリップ２５，２７とで構成されており、両導線部２１，２３の接続部分（結線部分）には、当該接続部分全体を覆ってその防水，補強を図るラバー製の防水部材２９が取り付けられている。
【００１５】
而して、図２に示すように主導線部２１は、白色と黒色の絶縁被覆材３１，３３で導電線３５，３７が被覆された２本の±のリード線３９，４１が撚られて外皮４３で覆われた構造となっており、既述したようにその一方にコネクタ１９が接続されている。
そして、主導線部２１の他方は、リード線３９，４１を覆う外皮４３が切り取られ、更に各リード線３９，４１の絶縁被覆材３１，３３が切り取られて、導電線３５，３７に、電源接続用導線部２３側の２本のリード線４５，４７の導電線４９，５１が、夫々、結線金具５３，５５を介して接続されている。
【００１６】
電源接続用導線部２３の２本のリード線４５，４７の導電線４９，５１は、赤色と黒色の絶縁被覆材５７，５９で被覆されており、当該絶縁被覆材５７，５９が切り取られた導電線４９，５１に、主導線部２１側の導電線３５，３７が結線されているが、図２及び図３に示すように電源接続用導線部２３側の２本のリード線４５，４７は、２本のリード線３９，４１が撚られた主導線部２１と異なり、撚られていない非撚状態とされている。
【００１７】
そして、図２に示すように結線金具５３，５５を介して接続された導電線３５，３７，　　４９，５１全体がコーティング層６１で防水処理され、更にこれらを覆うように既述した防水部材２９が取り付いて、主導線部２１と電源接続用導線部２３の接続部分の防水と補強が図られている。
図３は上記電源接続用導線部２３に取り付く鰐口クリップ２５，２７の取付構造、図４は鰐口クリップ２５，２７の接続に用いる接続部材を示し、この取付構造は、既述した特許文献１の図１乃至図５で開示された従来構造と同一である。
【００１８】
即ち、図３中、６３はビス６５を介して鰐口クリップ２５，２７のクリップ本体２５ａ，２７ａにビス止めされた導電性を有する接続部材で、図４に示すように当該接続部材６３は、ビス６５が挿通するリング状の連結部６７と、導電線取付孔６９が穿設された筒部７１とからなり、各導電線取付孔６９内に、夫々、各リード線４５，４７の導電線４９，５１が挿入されて半田付け固定されている。そして、当該筒部７１とリード線４５，４７の絶縁被覆材５７，５９との間に、熱収縮チューブからなる防水，補強用のカバー部材７３が取り付けられている。
【００１９】
そして、ビス６５を介して鰐口クリップ２５，２７のクリップ本体２５ａ，２７ａにビス止めされた接続部材６３は、更にクリップ本体２５ａ，２７ａ側の一対の挟持片７５でカバー部材７３が挟持されて脱落防止が図られている。そして、図３に示すように上記クリップ本体２５ａ，２７ａとカバー部材７３を覆って、鰐口クリップ２５，２７の柔軟な絶縁キャップ２５ｂ，２７ｂが取り付けられた構造となっている。
【００２０】
その他、図１に於て、７７はコネクタ１９の外周に刻設したねじ部に相対回転可能、且つ長手方向に移動可能に螺合する締付具で、当該締付具７７がレセプタクル１７の外周に設けられたねじ部に螺合して、レセプタクル１７に接続したコネクタ１９の脱落防止を図るようになっている。
本実施形態に係る給電コード３はこのように構成されているから、レセプタクル１７にコネクタ１９を接続して締付具７７を締め付け、そして、鰐口クリップ２５，２７を夫々バッテリの＋端子と−端子の接続すれば、給電コード３を介してバッテリから電動リール１に給電される。
【００２１】
そして、パワーレバー１１の操作量に応じスプールモータ７が駆動してスプールが回転し、釣糸がスプールに巻回されるが、鰐口クリップ２５，２７が取り付いて外部に露出する電源接続用導線部２３の２本のリード線４５，４７は、撚られていない非撚状態とされているから、従来の如き不必要な撚り現象がこれらのリード線４５，４７に生ずることがない、
従って、本実施形態によれば、従来の給電コードに比し良好な外観品質を維持することができると共に、リード線４５，４７に要求される強度・性能を維持することが可能である。
【００２２】
而も、給電コード３の電源接続側を主導線部２１と分離することにより、安価で入手性のよい一般的な白黒のリード線を主導線部２１に使用できるため、従来に比し安価な給電コードを提供することができる利点を有する。
【００２３】
【発明の効果】
以上述べたように、請求項１に係る給電コードによれば、外部電源との接続側に電源接続用導線部を接続したので、当該電源接続用導線部が接続される給電コードの主導線部に安価で入手性のよい一般的な白黒のリード線を使用できるため、従来に比し安価な給電コードを提供することができる。
【００２４】
そして、請求項２に係る発明によれば、外部に露出する電源接続用導線部のリード線は非撚状態であるから、従来の給電コードに比し良好な外観品質を維持することができると共に、リード線に要求される強度・性能を維持することが可能となる。
【図面の簡単な説明】
【図１】請求項１及び請求項２の一実施形態に係る給電コードと、当該給電コードが接続された電動リールの側面図である。
【図２】給電コードの要部拡大断面図である。
【図３】鰐口クリップの接続部分の拡大平面図である。
【図４】鰐口クリップの接続に用いる接続部材の要部切欠き平面図である。
【符号の説明】
１　電動リール
３　給電コード
７　スプールモータ
１１　パワーレバー
２１　主導線部
２３　電源接続用導線部
２５，２７　鰐口クリップ
２９　防水部材
３５，３７，４９，５１　導電線
３９，４１，４５，４７　リード線
４３　外皮
６３　接続部材
【図１】
2004127792.tif 000003
【図２】
2004127792.tif 000004
【図３】
2004127792.tif 000005
【図４】
2004127792.tif 000006